(57)【要約】      （修正有）【課題】取付具を設けずとも装飾具を着脱可能であるため、装飾具を取り外した後の靴の外観を損なうことが無い装飾具付きの靴及び靴用装飾具を提供する。【解決手段】靴の開口部に着脱可能に取り付けられる靴用装飾具３は、開口部に取り付けられた状態で外方から視認される面に形成される装飾部３１と、装飾部が形成された面と反対側の裏面に取り付けられた裏布３２と、裏布に固定され靴の開口部に取り付け可能な複数のクリップ３３と、靴用装飾具の一端部において裏布及び装飾部を貫通して設けられたスリット３４と、スリットに隣接して裏布に設けられたループ３５と、靴用装飾具の他端部において装飾部側に設けられ、スリット３４及びループ３５に係止可能な装飾留め具３６と、を備える。【選択図】図３
0003192302.tif 000002
【実用新案登録請求の範囲】
【請求項１】
靴と前記靴の開口部に着脱可能に取り付けられる帯状の靴用装飾具とを備える装飾具付きの靴であって、前記靴用装飾具は、
前記開口部に取り付けられた状態で外方から視認される面に形成される装飾部と、
前記装飾部が形成された面と反対側の裏面に取り付けられた裏布と、
前記裏布に固定され前記靴の開口部に取り付け可能な複数のクリップと、
前記靴用装飾具の一端部において前記裏布及び前記装飾部を貫通して設けられたスリットと、
前記スリットに隣接して前記裏布に設けられたループと、
前記靴用装飾具の他端部において前記装飾部側に設けられ、前記スリット及び前記ループに係止可能な装飾留め具と、
を備えることを特徴とする装飾具付きの靴。
【請求項２】
前記装飾部はファーであることを特徴とする請求項１記載の装飾具付きの靴。
【請求項３】
前記装飾部はレザーであることを特徴とする請求項１記載の装飾具付きの靴。
【請求項４】
靴の開口部に着脱可能に取り付けられる靴用装飾具であって、
前記開口部に取り付けられた状態で外方から視認される面に形成される装飾部と、
前記装飾部が形成された面と反対側の裏面に取り付けられた裏布と、
前記裏布に固定され前記靴の開口部に取り付け可能な複数のクリップと、
前記靴用装飾具の一端部において前記裏布及び前記装飾部を貫通して設けられたスリットと、
前記スリットに隣接して前記裏布に設けられたループと、
前記靴用装飾具の他端部において前記装飾部側に設けられ、前記スリット及び前記ループに係止可能な装飾留め具と、
を備えることを特徴とする靴用装飾具。
【請求項５】
前記装飾部はファーであることを特徴とする請求項４記載の靴用装飾具。
【請求項６】
前記装飾部はレザーであることを特徴とする請求項４記載の靴用装飾具。
【考案の詳細な説明】
【技術分野】
【０００１】
本考案は、着脱可能な装飾具が取り付けられた装飾具付きの靴及び着脱可能な靴用装飾具に関するものである。
【背景技術】
【０００２】
従来から、ブーツ等の靴の上辺部にファーやレザー等の靴用装飾具が取り付けられることがある。
【０００３】
こうした靴用装飾具として、ブーツ等に接着や縫合等により着脱不能に取り付けられているものがあるが、使用者の好みや衣服、季節に合わせ取り替えたり、靴用装飾具のみ洗浄可能とするためには、着脱可能に取り付けられている必要がある。
【０００４】
そこで、予めボタン等の取付具を靴に設けておくとともに、この取付具を介して靴用装飾具を着脱可能に取り付けた靴が用いられている。
【考案の概要】
【考案が解決しようとする課題】
【０００５】
しかし、従来のこうした靴及び靴用装飾具は、予め靴に設けられた取付具に取り付けられるものであるため、靴用装飾具が取り外された後には取付具が靴に残ったままの状態となり、外観を損ねていた。また、こうした取付具が予め設けられている靴以外には靴用装飾具を取り付けることができず、不便であった。
【０００６】
そこで、本考案は、上述した問題点に鑑みて案出されたものであり、靴に予め取付具を設けずとも靴用装飾具を着脱可能であり、かつ、靴用装飾具を取り外した後も外観を損なうことのない装飾具付きの靴及び靴用装飾具を提供することを目的とする。
【課題を解決するための手段】
【０００７】
本考案者は、上述した課題を解決するために、靴に取付具を設けずとも装飾具を着脱可能であり、装飾具を取り外した後も外観を損なうことのない装飾具付きの靴及び靴用装飾具を考案した。
【０００８】
第１考案に係る装飾具付きの靴は、靴と前記靴の開口部に着脱可能に取り付けられる帯状の靴用装飾具とを備える装飾具付きの靴であって、前記靴用装飾具は、前記開口部に取り付けられた状態で外方から視認される面に形成される装飾部と、前記装飾部が形成された面と反対側の裏面に取り付けられた裏布と、前記裏布に固定され前記靴の開口部に取り付け可能な複数のクリップと、前記靴用装飾具の一端部において前記裏布及び前記装飾部を貫通して設けられたスリットと、前記スリットに隣接して前記裏布に設けられたループと、前記靴用装飾具の他端部において前記装飾部側に設けられ、前記スリット及び前記ループに係止可能な装飾留め具と、を備えることを特徴とする。
【０００９】
第２考案に係る装飾具付きの靴は、第１考案において、前記装飾部はファーであることを特徴とする。
【００１０】
第３考案に係る装飾具付きの靴は、第１考案において、前記装飾部はレザーであることを特徴とする。
【００１１】
第４考案に係る靴用装飾具は、靴の開口部に着脱可能に取り付けられる靴用装飾具であって、前記開口部に取り付けられた状態で外方から視認される面に形成される装飾部と、前記装飾部が形成された面と反対側の裏面に取り付けられた裏布と、前記裏布に固定され前記靴の開口部に取り付け可能な複数のクリップと、前記靴用装飾具の一端部において前記裏布及び前記装飾部を貫通して設けられたスリットと、前記スリットに隣接して前記裏布に設けられたループと、前記靴用装飾具の他端部において前記装飾部側に設けられ、前記スリット及び前記ループに係止可能な装飾留め具と、を備えることを特徴とする。
【００１２】
第５考案に係る靴用装飾具は、第４考案において、前記装飾部はファーであることを特徴とする。
【００１３】
第６考案に係る靴用装飾具は、第４考案において、前記装飾部はレザーであることを特徴とする。
【考案の効果】
【００１４】
上述した構成からなる第１〜第６考案によれば、靴に取付具を設けずとも靴用装飾具を着脱可能であるため、装飾具を取り外した後の靴の外観を損なうことが無い。
【図面の簡単な説明】
【００１５】
【図１】本考案の実施形態に係る装飾具付きの靴を示す斜視図である。
【図２】図１の装飾具付きの靴を構成する靴を示す斜視図である。
【図３】図１の装飾具付きの靴を構成する靴用装飾具を示す図であり、（Ａ）は背面図、（Ｂ）は正面図である。
【考案を実施するための形態】
【００１６】
以下、本考案の実施の形態に係る装飾具付きの靴について詳細に説明する。図１は、本考案の実施形態に係る装飾具付きの靴１を示す斜視図である。
【００１７】
装飾具付きの靴１は、靴２と、靴２に取り付けられた靴用装飾具３とを備えて構成されている。
【００１８】
図２は、図１の装飾具付きの靴１を構成する靴２を示す斜視図である。靴２は、本実施形態においてはブーツが想定されていて、上部に使用者の足の出し入れがされる開口部２１が設けられている。この開口部２１に、靴用装飾具３が取り付けられる。
【００１９】
なお、本実施形態においては靴２としてブーツが想定されているが、本発明においてはこれに限らず、他の如何なる形状の靴であっても好適に用いることができる。また、この靴２の素材も天然の革や合成の皮、綿布等、様々なものを用いることができる。
【００２０】
図３は、図１の装飾具付きの靴を構成する靴用装飾具を示す図であり、（Ａ）は背面図、（Ｂ）は正面図である。
【００２１】
靴用装飾具３は帯状であって、開口部２１に取り付けられた状態で外方から視認される面に形成される装飾部として本実施形態においては複数の繊毛により形成されるファー３１と、ファー３１が形成された面と反対側の裏面に取り付けられた裏布３２と、裏布３２に固定され靴２の開口部２１に取り付け可能な複数のクリップ３３と、靴用装飾具３の一端部において裏布３２及びファー３１を貫通して設けられたスリット３４と、スリット３４に隣接して裏布３２に設けられたループ３５と、靴用装飾具３の他端部においてファー３１に設けられ、スリット３４及びループ３５に係止可能な装飾留め具３６と、を備えて構成されている。
【００２２】
ファー３１は、天然のファー素材や合成ファー素材により形成されている帯状の構成である。なお、本実施形態においては装飾部３１としてファーを例に挙げて説明しているが、本発明においてはこれに限らず、レザーや模様付きの布帛、ニットや毛糸で作成されたボンボン等であってもよい。
【００２３】
裏布３２は、綿や麻等の天然繊維や合成繊維等により作られる紐状の布帛であり、ファー３１の裏面に縫いつけられている。
【００２４】
クリップ３３は、弾性変形可能な金属や樹脂等よりなるＵ字状の部材である。
【００２５】
スリット３４は、ファー３１と裏布３２を貫通して設けられていて、装飾留め具３６を通すことのできるサイズを備えている。
【００２６】
ループ３５は、綿や麻等の天然繊維や合成繊維等により作られる紐状体の両端部が裏布３２に固定されて形成される環状の構造体である。このループ３５は、装飾留め具３６を通すことのできる径を備えている。
【００２７】
装飾留め具３６は、宝石状のカッティング等、各種装飾が施された、樹脂や金属、木材、石等よりなるボタンである。この装飾留め具３６は、上述したスリット３４やループ３５に係止可能なサイズを備えている。
【００２８】
次に、上述した構成を有する装飾具付きの靴１における靴用装飾具３の靴２に対する着脱について説明する。
【００２９】
まず、靴２に靴用装飾具３を取り付ける場合について説明する。
【００３０】
靴２の開口部２１への靴用装飾具３の取り付けでは、まず、靴用装飾具３のクリップ３３を、靴２の開口部２１に取り付けることが行われる。このとき、靴用装飾具３は、ファー３１が靴２の外側に向くようにして取り付けられる。
【００３１】
次に、靴用装飾具３の装飾留め具３６が、スリット３４又はループ３５の何れかに嵌め込まれる。
【００３２】
装飾留め具３６の嵌め込み部位は、例えば開口部２１の周長に応じて選択される。
【００３３】
具体的には、取り付けられた後の円環状となった靴用装飾具３の周長が長くなるループ３５又は短くなるスリット３４の何れかが選択され、装飾留め具３６が取り付けられる。
【００３４】
また、装飾留め具３６の取り付け部位は、装飾留め具３６の外部への露出の有無により判断してもよい。
【００３５】
具体的には、装飾留め具３６をループ３５に嵌め込む場合には、装飾留め具３６はファー３１の内側に位置することになり、外部から視認されることがない。一方、装飾留め具３６をスリット３４に嵌め込む場合には、装飾留め具３６がスリット３４を通じてファー３１の外側に露出することになり、外部から視認される。
【００３６】
こうしたファー３１からの装飾留め具３６の露出の有無は、靴２に靴用装飾具３が取り付けられた状態における外観に差異を生む。
【００３７】
次に、靴２から靴用装飾具３を取り外す場合について説明する。
【００３８】
靴２から靴用装飾具３を取り外す場合には、まず、スリット３４又はループ３５からの装飾留め具３６の取り外しが行われる。
【００３９】
次に、靴用装飾具３を靴２の開口部２１から離間するように引き上げられ、クリップ３３が開口部２１から脱離することで、靴２からの靴用装飾具３の取り外しが完了する。
【００４０】
上述した本考案に係る装飾具付きの靴及び靴用装飾具によると、靴に取付具を設けずとも靴用装飾具を着脱可能であるため、装飾具を取り外した後の靴の外観を損なうことが無い。
【符号の説明】
【００４１】
１  装飾具付きの靴
２  靴
３  靴用装飾具
【図１】
0003192302.tif 000003
【図２】
0003192302.tif 000004
【図３】
0003192302.tif 000005